(57)【要約】      （修正有）【課題】公共で支払われる街灯の電力費用とＣＯ２を大幅に削減させる分割設置方式集水一体型発電街灯を提供する。【解決手段】６００型ｕ字溝水路の勾配率が３パーセントで水深が３センチメートルを設置対象とする小水流に、扇型集水器の前部ごみ浸入防止用グレーチング型集水口を設け、下流の細まった集水路の後部に設けられた発電用水車と発電用水車の回転軸にＶベルト用プーリーを設け、Ｖベルト用プーリーからＶベルトを経由して９０度伝達ギアに接続され、９０度伝達ギアに接続された上部伝達用回転駆動シャフトは、主フレーム１５の上部を経由して、丸管型ポール２３の内部を通り抜けて、発電機とＬＥＤライト装着用十字型フレームの下方を経由して、発電機のローラーを回すためのパンクレスタイヤと接続する。【選択図】図５
0003192894.tif 000002
【実用新案登録請求の範囲】
【請求項１】
６００型ｕ字溝水路の勾配率が３パーセントで、水深が３センチメートルを設置対象としたその小水流は、扇型集水器３４の前部に設けられたごみ浸入防止用グレーチング型集水口２９の上流から入水すると、下流の細まった集水路の後部１０に到達する頃には、水位と水流速度が高まって、前記その細まった集水路の後部に設けられた発電用水車と、その回転軸に設けられたＶベルト用プーリー５５を回転させて、前記その回転はＶベルト３で、９０度伝達ギア４に伝えられて、方向を変化させた前記その回転は上部伝達用回転駆動シャフト１３となって、前記発電用水車を支える主フレーム１５の上部を貫通しながら、丸管型ポール２３の内部を通り抜けて、発電機１９とＬＥＤライト１８装着用十字型フレーム２１の下方を貫通しながら、前記発電機１９のローラーを回すための、パンクレスタイヤ２０と接触回転させることによって、２．４ワットのＬＥＤ電球８基を点灯させる性能を有することを特徴とする分割設置方式集水一体型発電街灯。
【請求項２】
前記水車を装着する主フレームの中間部に接合する左右に伸びた折れ爪装着用角材８は、前記ｕ字溝の両端と土手２５のすき間に折れ爪７を刺して、前記同じく主フレーム１５の下方は、前記細まった集水路の後部１０を跨ぎながらｕ字溝の底部に当たって、下部左右振れ止め防止用角材９がｕ字溝の両壁に当たるため、前記発電街灯の下方部が左右に動くことはないが、再に、前記丸管ポールの上部不近にあるポール支持用十字型プレート２２と前記ポール支持用伸縮型丸パイプ２４が土手２５に打ち込まれた４本のくい２６に固定されるため、強風に耐えることを特徴とする請求項１記載の分割設置方式集水一体型発電街灯。
【請求項３】
前記街灯の前後方向に発生する振れ止めとして、前記集水器３４が強水流に耐えるように、前記集水器に図３のように滑り止めパッド付きネジ込みジャッキ２８を前記ｕ字溝の両壁に宛てがって、集水器のフレーム３２と貫通ボルト３１で固定することによって、前記細まった集水路の後部１０に設けられる発電街灯装着部３３に前記同街灯が装着されると、合致するため前記発電街灯の下方部における前後方向の振れを防止することを特徴とする請求項１記載の分割設置方式集水一体型発電街灯。
【請求項４】
前記ｕ字溝水路の増水で半没する前記発電街灯の水車部を、図６のように小フレームで下地形成して、その表面を防水型外板１１で、水車ボックス下面部の８割を除いた全てを囲むと、前記水車ボックスの台形型形状が当たった水流を押し上げるため、前記水流速度は減速されるが、前記水車ボックスの下面に突出したアール型の水流誘導板３６は前記水車ボックス下面の水流を押し下げるため、前記下面水流速度が上面を流れる速度を上回り、水車ランナ２に強く当たって、前記発電街灯の水車の回転力を強めた後に、前記水車の下面部後方に発生する引き水効果によって、前記水車ボックス内に浸水した水量は少水状態で維持されるため、前記水車の回転力を低下させることがないことを特徴とする請求項１記載の分割設置方式一体型発電街灯。
【請求項５】
水路の勾配率が１パーセントで、水量はある程度豊富だが、水流速度が遅い場合の前記集水器の設置形態として、上下スライド式ダム４５とダム下方板３９を前記グレーチング型集水口２９の下方に設けて、水位の高さに応じて前記ダムの高さをスライド調整することによって、その勾配角度が前記集水路１０の水流に加速力を与えて、前記発電街灯の水車を回転させることを特徴とする請求項１記載の分割設置方式集水一体型発電街灯。
【請求項６】
段差水流を、前記発電街灯水車ボックスの斜め上部に取り込むための最適な形態として、前記集水路のアール型後方口４４を、前記水車ボックスの段差水流取り込み口４０に装着して、流れ込む水量が強まった場合に備えて、強水圧開放用アールふた４３を設けて、過剰水流を前記集水路４４の外部へ放出することを特徴とする請求項１記載の分割設置方式集水一体型発電街灯。
【請求項７】
前記発電塔と街灯を分離独立設置させる最良形態として、前記発電街灯のポール１５を図１２のように短縮させて、従来どうりに設置して、前記ポール１５の上部に設けられたＬＥＤライト１８は水路の延長線上にある立地に必要な場所に、グレーチングまたはｕ字溝の上ぶたと共に前記ネジ込みジャッキ２８で固定して、前記発電塔から発せられた送電線４６は、水路内上部の電線管４８を伝わりながら、市街地に設置された街灯を照らすことを特徴とする請求項１記載の分割設置方式集水一体型発電街灯。
【考案の詳細な説明】
【技術分野】
【０００１】本考案は全国で寸法規格と形状が統一されている４５０型のｕ字溝から、２０００型ｕ字溝に適合する発電体と街灯の一体型と、分離型の小水力発電を全国あらゆる農業用水路のｕ字溝に縦列状に設置させて、発電体から発せられた弱電力を設置基数の増大と共に、電流をしだいに高めながら、送電を水路伝いに市街地まで延長させて、全国数十万基の街灯を照らすことによって、公共で支払われる街灯の電力費用とＣＯ２を大幅に削減させる小水力発電街灯に関する。
【背景技術】
【０００２】近年全国の中小企業では小水力による発電事業に乗り出しているが、その多くが売電目的にしているため、定置場所が利水条件の良い山間部や高低差のある頃斜地といった極く一部の地域に限られている。したがって発電量が少なく、しかもメンテナンス費用や送電に不可欠な電柱の設置と借地代に莫大な費用がかかる。その分、電力買い取り価格も安く見積もられるため、企業による小水力の発電事業は行き詰っているのが現状である。また、その発電形態の殆んどが、その設置場所の地形と水量に合わせたオーダーメイドになるため、製造コストも高くなる。
【考案の概要】
【考案が解決しようとする課題】
【０００３】この問題を解決するには、日本全国にある総延長数万キロメートルに及ぶ農業用水路と道路排水路に用いられるｕ字溝を活用することが低コストで最適である。しかし、水量が不安定な水路も数多くあるため、最低でも３種類の水流形態に対応出来るように、水流調整用の簡易型集水路を設ける必要がある。【０００４】そこで数種類の水路形態に適合する特殊な形状の集水器と発電用水車との一体型組み合わせによって、水位の浅い水流や水路勾配が緩い水流、段差型水流など、いずれの水流も取り込み易い形態の確立で解決出来るが、大雨によって水路の水量が急に増えた場合、発電用水車と集水器に当たる水流抵抗で水位がｕ字溝の上を越える危険性がある。また、発電塔本体も流される危険性がある。【０００５】他にも、水路の水流が増えた場合、水位が水車の回転軸よりも高まると、水流抵抗が水車の回転力を阻害するため、増水時には発電が停止する懸念がある。その解決には水車の径を大型化することによって解決するが、径が大型になった分、回転力は強まるが回転速度が低下するため、発電機の電圧も低下する。そこで発電機の回転速度を上昇させるには新たに増速機が必要になるため、機構も複雑になって、水流の弱い小水路では水車ランナに当たる反射水の逆流が抵抗になって、水車の回転力を再に低下させる。また、発電塔の重量と水流抵抗も増加する。【０００６】どんなに工夫を凝らした小水力発電でも、日常のメンテナンスは必要不可欠である。特にゴミの除去は毎日一回以上行なわなければならないため、短時間で容易に行なえる構造体にしなければ一人のメンテナンス要員が受け持つ巡回範囲が狭まる。それには要員を増やさなければならないが維持管理コストが高まって、どの市町村からも発電街灯の設置は敬遠されかねない。【０００７】発電街灯を水量の豊富な水路に設置しようとする場所に照明が必要無く、別の場所に必要とした場合の対策として、照明塔と水力発電体を分離して、街灯のみを単独または連続設置出来る工夫と、送電方法の解決策が重要な課題でもある。【０００８】段差型水流の取り込み易い形状として、水車ランナの上部が上流方向に前転する斜め上部に集水による強水流が流れ込むように特殊な形状の集水路を設けて、強水流の勢いによって水が分散しないように一定水量を受け入れる水流取り込み口を設けて、段差水流を使用しない場合は、その口を外板で塞ぐ構造体にしなければならないが、それには水流が水車ランナに当たる水車の下面部を除いて全周を外板で囲う必要がある。
【課題を解決するための手段】
【０００９】６００型ｕ字溝、つまり縦と横幅が６０センチメートルのｕ字溝水路に直接水車を設置した場合、水路の勾配率を３パーセントとして、水深が３センチメートルの少水流で２．４ワットのＬＥＤ電球８基を点灯させるには、その水位では明らかに、どんなに優れた水車を用いても浅い水流を効率良く捉えることは不可能である。【００１０】その解決には上流から取り入れる浅い水流を徐々に水位を高めながら下流に設ける水車ランナに水位が最も高まった状態で強く当たる新たな水路の設置形態にする。そこで水位と水流速度を同時に高める策として、水車の設置点より７メートル以上離れた上流に、扇型の集水口を図３のように設けて、下流に沿って集水路の幅を狭くすると、水位は一時高まるが扇型の集水口３４不近において、重力と集水幅を狭められることによって、急激な水圧抵抗が発生して、水流速度がその不近で一時的に低下する。そこで最も回転効率の良い水車の設置位置を撰択するには細まった集水路の下流後方部を出来る限り延長させて、勾配率３パーセントの状態で水流の加速力が再度高まった最後部に水車式発電機構を設置するのが最適である。
【考案の効果】
【００１１】６００型ｕ字溝水路を設置対象の基本として、水路の勾配率が３パーセントで水深が３センチメートルと想定した場合の集水と発電形態において、水路上流の少水流は扇型集水器の前部に設けられたごみ浸入防止用グレーチング型集水口２９から入水を開始すると、下流の細まった集水路の後部１０に到達する頃には水位と水流速度が高まって、その後部１０に設けられた発電用水車と回転軸に設けられたＶベルトプーリー５５を回転させて、その回転はＶベルト３で９０度伝達ギア４に伝えられて平面回転に変化させた後、上部に設けた小型発電機４基を回転させるために、上部伝達用回転駆動シャフト１３になって、発電の元になる水車を跨がって支える主フレーム１５の上部を貫通しながら、丸管型ポール２３の内部を通り抜けて、再に発電機１９とＬＥＤライト１８装着用十字型フレーム２１の下方部を貫通しながら発電機１９の回転ローラーを回すためにパンクレスタイヤ２０と接触回転させることによって、僅か水深３センチメートルの水量で２．４ワットのＬＥＤ電球８基を点灯させる性能を有する。【００１２】図２では発電街灯が水路の増水時に水流抵抗を発生しにくいように横幅を狭めて、強水流に耐える構造と左右の振れ止め形態を表わす。その発電街灯の下方に設けられた水車を装着する主フレーム１５の中間部に接合する左右に伸びた折れ爪装着用角材８はｕ字溝の上部両端と土手２５のすき間に爪を刺して固定する。同じく主フレーム１５の下方は細まった集水路の後部１０を跨ぎながら、ｕ字溝の底に当たるため動くことはない。再に下部左右振れ止め防止用角材９がｕ字溝の両壁に当たるため、発電街灯の下方部が左右に動くことはない。また、丸管ポールの上部不近に設けられたポール支持用十字型プレート２２とポール支持用伸縮型丸パイプ２４が土手に打ち込まれた４本のくい２６に固定されるため強風にも耐える。【００１３】水路の上流から下流方向に発生する機具の設置抵抗による振れ止め対策として、集水器と発電街灯が共に強水流に耐えるように、集水器を図３と図４の位置で滑り止めパッド付きネジ込みジャッキ２８をＵ字溝の両壁に宛てがって、集水器のフレーム３２と貫通ボルト３１で固定する。その後、細まった集水路の後部１０に設けられた発電街灯装着部３３に、図５のように同街灯を装着する差し込み形状が、細まった集水路の後部フレーム３２の切り込み口と合致するため、発電街灯前後方向の振れを完全に防止する。【００１４】大雨によって、水路の水位が上昇した場合の浸水による発電街灯の、水車部の回転力低下防止策と、水車部に流れ込む水量を最小限に抑えるための最適形状を図６に示す。水路の増水で半没する水車の装着部を、小フレームで台形型に下地形成して、その外面を防水型外板１１で水車の下面部の８割を除いた全てを囲むと、増水流は水車ボックスの前面部に強く当たるが、水車ボックスの台形型形状が、当たった水流を押し上げるために、水面近くの水流速度が減速される。一方、水車ボックスの下面部では、下方に突出したアール型の水流誘導板３６が、水車ボックスの下面水流を押し下げるため、下面部の水流速度が水面速度を上回って、飛行機の翼形状と同様に圧力段差が発生する。したがって、水車ボックスの下面を通る増速水流は水車ランナ２に強く当たって、水車の回転力を強めた後に、水車の下面部後方に発生する渦による引き水効果によって、水車ボックス内に浸水した水量は、少水位状態で維持されるため、水車の回転力を増水中の水路でも低下させることはない。また、水車ボックス内に浸水した水位３７が、それ以上に増水しない理由として、ボックス内部に残留する空気圧３８も水の過剰浸入を防ぐ。【００１５】水路の勾配率が１〜２パーセントで、水量はある程度豊富だが水流速度が遅い場合の集水器の設置形態として、図７〜図９に示すように、水路上流の集水器入口の下方に設けられた上下スライド式ダム４５とダム下方板３９を半固定式にして、水位の高さに応じてダムの高さを上下にスライド調整することによって、集水器の勾配角度も決定される。設定された集水路の後部に勾配角度による水流加速が高まって、発電街灯を起動させる。また、ダムの内外と集水路の要所部に補強下地台として、ネジ込みジャッキ２８を設けてこれらの重量を支える。【００１６】段差型水流を発電街灯水車ボックスの斜め上部前方から取り込む最適な形態として、集水路のアール型後方口４４を図１０と図１１に示すように、水車ボックスの段差水流取り込み口４０に装着する。安全に運用する対策として、増水によって極端に集水路内部に流れ込む水量が強まった場合、集水路の後部が細まった縦曲がり形状のため、水流が零れないように集水路全体を外板で覆っている。そのため強水圧がかかると水の逃げ場が無く、集水路と水車ボックスを壊す恐れがある。その安全策として、強水圧開放用アールふた４３を設けて、過剰水流を集水路の外部へ自動的に放出調整しながらこれらを保護する。【００１７】発電塔と街灯を分離独立設置させる最良形態として、発電塔から街灯を取り除き、不必要な高さのポール１５を図１２のように短縮させて、ポール支持用伸縮型丸パイプ２４も取り除いて、従来方式に水路に集水器と共に設置する。発電塔の上部に設けられた十字型フレーム２１には、従来どうりにパンクレスゴムタイヤ２０で発電機１９を回転させて、ＬＥＤライト１８は取り除いて図１２と図１４のように、水路の延長線上にある照明を必要とする場所のグレーチングまたはｕ字溝の上ぶたに貫通型に設置してネジ込みジャッキ２８で固定する。また送電形態は発電塔から発せられた送電線４６は水路内上部の電線管４８を伝わりながら市街地のｕ字溝またはその近辺に設置された街灯につながる。
【図面の簡単な説明】
【００１８】
【図１】発電街灯側面水車ボックスカバーを外した状態を表す側面図
【図２】水路下流から上流の発電街灯を望む断面図
【図３】集水器をｕ字溝水路に設置した状態を表す平面図
【図４】集水器をｕ字溝に収めた状態を表す斜視図
【図５】集水器の後部集水路に水力街灯を設置した状態を表す側面図
【図６】水路の水位が高まった状態を表す水車ボックスの側面透視図
【図７】水路をダムでせき止めた状態で集水器を設置する側断面図
【図８】ダムが上方にスライドした状態を表す正面斜視図
【図９】ダムが下方にスライドした状態を表す正面斜視図
【図１０】段差型水流を取り込む状態を表す側面図
【図１１】段差型水流を取り込む設置状態を表す正面斜視図
【図１２】発電のみを実施する場合の設置形態を表す側面図と配線の側面図
【図１３】照明を発電街灯から分離して、街灯をグレーチングに固定する側断面図
【図１４】街灯をｕ字溝のグレーチングに固定する状態を表す正断面図
【考案を実施するための形態】
【００１９】本考案を実施するには材料の選定として、錆に強いアルミとプラスチックの一体成形部品を多用使して、軽量化につとめて、現在市販されている発電機付きＬＥＤライト、パンクレスタイヤ、ネジ込みジャキなどを流用することによって、製造コストが安くなり、企業間どうしが一層活性化される。
【００２０】送電ケーブルは発電街灯の設置数に応じて、電流が徐々に強まることを見越して、当初から太いケーブルのキャブタイヤを使用することによって電流抵抗が少ない。
【００２１】災害に備えて、発電街灯に防災無線を設置出来る構造体と、災害時に電力の供給も出来る工夫も所々に必要である。
【００２２】本考案の実施によって、今までの少水力発電のように、設置場所の選定に苦慮することなく、広範囲にわたって農水路の小水流を全国規模の街灯に活用拡大を図り、ＣＯ２と税金の排出削減に大いに貢献出来る。
【符号の説明】
【００２３】  １．水車回転軸
２．水車ランナ
３．回転駆動伝達用Ｖベルト
４．９０度伝達用歯車
５．水車ランナ装着用回転ホイール
６．ｕ字溝またはコンクリート
７．上部左右振れ止め防止用折れ爪
８．折れ爪装着用角材
９．下部左右振れ止め防止用角材
１０．細まった集水路の後部
１１．防水型外板カバー
１２．水車ランナベルトと回転ホイールを固定する貫通ボルト
１３．上部伝達用回転駆動シャフト
１４．ベアリング入りフランヂ
１５．主フレーム
１６．溶接部
１７．カラーストッパー
１８．ＬＥＤライトまたはＬＥＤ電球
１９．発電機
２０．パンクレスゴムタイヤ
２１．発電機とＬＥＤライト装着用十字型フレーム
２２．丸管ポール支持用十字型プレート
２３．丸管型ポール
２４．ポール支持用伸縮型丸パイプ
２５．土手
２６．くい
２７．すき間ふさぎ用折り曲げプレート
２８．すべり止めパッド付きネジ込みジャッキ
２９．グレーチング型集水口
３０．前折れ給水プレート
３１．ネジ込みジャッキと集水器のフレームを固定する貫通ボルト
３２．集水器フレーム
３３．発電街灯装着部または切込み口
３４．集水器と発生する水流抵抗が強まる位置
３５．集水器補強板
３６．水流誘導板
３７．水車ボックスの内部に浸水した水位の高さ
３８．水車ボックス内部の空気圧
３９．ダム下方板
４０．段差型水流取り込み用開口
４１．段差型水流取り込み用開口ふさぎ板
４２．水圧開放アールふた用蝶番い
４３．強水圧開放アールふた
４４．段差型水流用アール型集水路後方口
４５．上下スライド式ダム上方板
４６．丸管ポールの内部電通線
４７．電通線コネクター
４８．電通線用配管
４９．配管固定用サドル
５０．街灯ポール固定型グレーチング
５１．通常型グレーチング
５２．街灯ポール補強用プレート
５３．道路
５４．発電塔
５５．Ｖベルト用プーリー
【記号の説明】
【００２４】
0003192894.tif 000003
【図１】
0003192894.tif 000004
【図２】
0003192894.tif 000005
【図３】
0003192894.tif 000006
【図４】
0003192894.tif 000007
【図５】
0003192894.tif 000008
【図６】
0003192894.tif 000009
【図７】
0003192894.tif 000010
【図８】
0003192894.tif 000011
【図９】
0003192894.tif 000012
【図１０】
0003192894.tif 000013
【図１１】
0003192894.tif 000014
【図１２】
0003192894.tif 000015
【図１３】
0003192894.tif 000016
【図１４】
0003192894.tif 000017
【手続補正書】
【提出日】平成26年4月23日(2014.4.23)
【手続補正１】
【補正対象書類名】実用新案登録請求の範囲
【補正対象項目名】全文
【補正方法】変更
【補正の内容】
【実用新案登録請求の範囲】
【請求項１】
６００型Ｕ字溝水路の勾配率が３パーセントで水深が３センチメートルを設置対象とするその小水流は、（１）扇型集水器（３４）の前部に設けられたごみ浸入防止用グレーチング型集水口（２９）の上流から入水すると、下流の細まった集水路の後部（１０）に到達する頃には、水位と水流速度が高まり、前記その細まった集水路の後部（１０）に設けられた（２）発電用水車とその回転軸（１）に設けられたＶベルト用プーリー（５５）を回転させて、前記その回転はＶベルト（３）で９０度伝達ギア（４）に伝えられて、方向を変化させた前記その回転は、上部伝達用回転駆動シャフト（１３）となって、前記発電用水車を支える主フレーム（１５）の上部を貫通しながら、（３）丸管型ポール（２３）の内部を通り抜けて、発電機（１９）とＬＥＤライト（１８）装着用十字型フレーム（２１）の下方を貫通しながら、前記発電機（１９）のローラーを回すための、パンクレスタイヤ（２０）と接触回転させることによって、（４）２．４ワットのＬＥＤ電球８基を点灯させる性能を有することを特徴とする（１）〜（４）の構成からなる分割設置方式集水一体型発電街灯
【請求項２】
（２）前記水車を装着する主フレーム（１５）の中間部に接合する左右に伸びる折れ爪装着用角材（８）は、前記Ｕ字溝の両端と土手（２５）のすき間に折れ爪（７）を刺して、前記同じく主フレーム（１５）の下方は、前記細まった集水路の後部（１０）を跨ぎながら、Ｕ字溝の底部に当たって、下部左右振れ止め防止用角材材（９）がＵ字溝の両壁に当たるため、前記発電街灯の下方部が左右に動くことはないが、（３）前記丸管ポール（２３）の上部不近にあるポール支持用十字型プレート（２２）と、前記ポール支持用伸縮型丸パイプ（２４）が、土手（２５）に打ち込まれた４本のくい（２６）に固定されるため、強風に耐えることを特徴とする請求項１記載の（２）〜（３）の構成からなる分割設置方式集水一体型発電街灯
【請求項３】
前記街灯の前後方向に発生する振れ止めとして、（１）前記集水器（３４）が強水流に耐えるように、前記扇型集水器（３４）に滑り止めパッド付きネジ込みジャッキ（２８）を、前記Ｕ字溝の両壁に宛てがって、集水器のフレーム（３２）と貫通ボルト（３１）で固定することによって、前記細まった集水器の後部（１０）に設けられた発電街灯装着部（３３）に、（２）前記発電街灯が装着されると、合致するため、前記発電街灯の下方部における前後方向の振れを防止することを特徴とする請求項１記載の（１）〜（２）の構成からなる分割設置方式集水一体型発電街灯
【請求項４】
前記Ｕ字溝水路の増水で半没する（２）前記発電街灯の水車部を小フレームで下地形成して、その表面を、防水型外板（１１）で水車ボックス下面部の８割を除いた全てを囲むと、前記水車ボックスの台形型形状が当たった水流を押し上げるため、前記水流速度は減速されるが、前記水車ボックスの下面に突出したアール型の水流誘導板（３６）は、前記水車ボックス下面の水流を押し下げるため、前記下面水流速度が上面を流れる速度を上回り、水車ランナ（２）に強く当たって、前記発電街灯の水車の回転力を強めた後に、前記水車の下面部後方に発生する引き水効果によって、前記水車ボックス内に浸水した水量は少水状態で維持されるため、前記水車の回転力を低下させることはないことを特徴とする請求項１記載の（２）の構成からなる分割設置方式集水一体型発電街灯
【請求項５】
水路の勾配率が１パーセントで、水量はある程度豊富だが水流速度が遅い場合の前記集水器の設置形態として、（１）上下スライド式ダム（４５）とダム下方板（３９）を、前記グレーチング型集水口（２９）の下方に設けて、水位の高さに応じて前記ダムの高さをスライド調整することによって、その勾配角度が前記集水路（１０）の水量に加速力を与えて、（２）前記発電街灯の前記水車を回転させることを特徴とする請求項１記載の（１）〜（２）の構成からなる分割設置方式集水一体型発電街灯
【請求項６】
段差水流を前記発電街灯水車ボックスの斜め上部に取り込むための最適な形態として、（１）前記集水路のアール型後方口（４４）を、（２）前記水車ボックスの段差水流取り込み口（４０）に装着して、流れ込む水流が強まった場合に備えて、（１）強水圧開放用アールふた（４３）を設けて、過剰水流を前記集水路（４４）の外部へ放出することを特徴とする請求項１記載の（１）〜（２）の構成からなる分割設置方式集水一体型発電街灯
【請求項７】
（２）前記発電街灯から、（４）前記ＬＥＤライト（１８）を分離独立設置させる最良形態として、（３）前記丸管ポール（１５）を短縮させて設置し、前記丸管ポール（１５）の上部に設けられた（４）前記ＬＥＤライト（１８）は水路の延長線上にある立地に必要な場所に、グレーチングまたはＵ字溝の上ぶたと共に、前記ネジ込みジャッキ（２８）で固定して、（２）前記発電街灯から発せられた送電線（４６）は、水路内上部の電線管（４８）を伝わりながら、市街地に設置された（４）前記ＬＥＤライト（１８）を照らすことを特徴とする請求項１記載の（２）〜（４）の構成からなる分割設置方式集水一体型発電街灯
【手続補正書】
【提出日】平成26年6月23日(2014.6.23)
【手続補正１】
【補正対象書類名】実用新案登録請求の範囲
【補正対象項目名】全文
【補正方法】変更
【補正の内容】
【実用新案登録請求の範囲】
【請求項１】
６００型ｕ字溝水路の勾配率が３パーセントで水深が３センチメートルを設置対象とする小水流に、扇型集水器（３４）の前部ごみ浸入防止用グレーチング型集水口（２９）を設け、下流の細まった集水路の後部（１０）に設けられた発電用水車と前記発電用水車の回転軸（１）にＶベルト用プーリー（５５）を設け、前記Ｖベルト用プーリー（５５）からＶベルト（３）を経由して９０度伝達ギア（４）に接続され、前記９０度伝達ギア（４）に接続された上部伝達用回転駆動シャフト（１３）は、主フレーム（１５）の上部を経由して、丸管型ポール（２３）の内部を通り抜けて、発電機（１９）とＬＥＤライト（１８）装着用十字型フレーム（２１）の下方を経由して、前記発電機（１９）のローラーを回すためのパンクレスタイヤ（２０）と接続したことを特徴とする、分割設置方式集水一体型発電街灯
【請求項２】
前記水車を装着する主フレーム（１５）の中間部に接合する左右に伸びる折れ爪装着用角材（８）は、前記ｕ字溝の両端と土手（２５）のすき間に折れ爪（７）を刺して、前記同じく主フレーム（１５）の下方が前記細まった集水路の後部（１０）を跨ぎながら、前記ｕ字溝の底部に当たって、再に下部左右振れ止め防止用角材（９）が前記ｕ字溝の両壁に当たるため、前記発電街灯の下方部が左右に動くことはないが、前記丸管ポール（２３）の上部不近に設けられたポール支持用十字型プレート（２２）と、前記ポール支持用伸縮型丸パイプ（２４）が前記土手（２５）に打ち込まれた４本のくい（２６）に固定されるため、強風に耐えることを持徴とする、請求項１記載の分割設置方式集水一体型発電街灯
【請求項３】
前記発電街灯の前後方向に発生する振れ止めとして、前記集水器（３４）が強水流に耐えるように、前記扇型集水器（３４）に滑り止めパッド付きネジ込みジャッキ（２８）を前記ｕ字溝の両壁に宛てがって、集水器のフレーム（３２）と貫通ボルト（３１）で固定することによって、前記細まった集水路の後部（１０）に設けられた発電街灯装着部（３３）に、前記発電街灯が装着されると合致するため、前記発電街灯の下方部における前後方向の振れを防止することを特徴とする、請求項１記載の分割設置方式集水一体型発電街灯
【請求項４】
前記ｕ字溝水路の増水で半没する前記発電街灯の水車部分を小フレームで下地形成して、その表面を防水型外板（１１）で水車ボックス下面部の８割を除く全てを囲むと、前記水車ボックスの台形型形状が当たった水流を押し上げ、水流速度は減速されるが、前記水車ボックスの下面に突出したアール型の水流誘導板（３６）が前記水車ボックス下面の水流を押し下げるため、前記下面水流の速度が上面を流れる速度を上回り、水車ランナ（２）に強く当たって前記発電街灯の水車の回転力を強めた後に、前記水車の下面部後方に発生する引き水効果によって、前記水車ボックス内に浸水した水量は少水状態で維持され、前記水車の回転力を低下させないことを特徴とする、請求項１記載の分割設置方式集水一体型発電街灯
【請求項５】
前記ｕ字溝水路の勾配率が１パーセントで、水量はある程度豊富だが前記水流速度が遅い場合の前記集水器（３４）の設置形態として、上下スライド式ダム（４５）とダム下方板（３９）を前記グレーチング型集水口（２９）の下方に設け、水位の高さに応じて前記ダム（４５）の高さをスライド調整することによって、その勾配角度が前記集水路の後部（１０）の水流に加速力度を与え、前記発電街灯の水車を回転させることを特徴とする、請求項１記載の分割設置方式集水一体型発電街灯
【請求項６】
前記ｕ字溝水路の段差水流を、前記発電街灯の水車ボックスの斜め上部に取り込む最適な形態として、前記集水路（１０）のアール型後方口（４４）を、前記水車ボックスの段差水流取り込み口（４０）に装着して、流れ込む水量が強まった場合に備え、強水圧開放用アールふた（４３）を設け、過剰水流を前記集水路（１０）から外部に放出することを特徴とする、請求項１記載の分割設置方式集水一体型発電街灯
【請求項７】
前記発電街灯から前記ＬＥＤライト（１８）を分離独立設置させる最良形態として、前記丸管ポールを短縮型に設置させて、前記丸管ポール（１５）の上部に設けられた前記ＬＥＤライト（１８）を水路の延長線上にある立地に必要な場所のグレーチングまたはｕ字溝の上ぶたに前記ネジ込みジャッキ（２８）で固定して、前記発電街灯から発せられた送電線（４６）は、前記ｕ字溝水路の上部に設けられた電線管（４８）を伝わりながら、市街地に設置された前記ＬＥＤライト（１８）を照らすことを特徴とする、請求項１記載の分割設置方式集水一体型発電街灯